(57)【要約】【課題】ＬＥＤの配列方向にわたって、ＬＥＤプリントヘッドと感光体ドラムとの距離の変動を抑える。【解決手段】感光体ドラム３０の軸方向に対してＬＥＤプリントヘッド３４が傾いた場合でも、ＬＥＤプリントヘッド３４の長手方向両端部において、ＬＥＤが感光体ドラム３０の外周面の法線方向へ向くように、ＬＥＤプリントヘッド３４の向きを規定されている。このため、ピン６２のないＬＥＤプリントヘッド３４の長手方向中央部においても、ＬＥＤが感光体ドラム３０の外周面の法線方向へ向く。これにより、ピン６２のないＬＥＤプリントヘッド３４の長手方向中央部においても、感光体ドラム３０との距離が、ＬＥＤプリントヘッド３４の長手方向両端部における感光体ドラム３０との距離と同じ若しくはほとんど差がない。従って、ＬＥＤの配列方向にわたって、ＬＥＤプリントヘッドと感光体ドラムとの距離の変動を抑えられる。【選択図】図８
2008183858.tif 000002
【特許請求の範囲】
【請求項１】
円筒状の感光体と、
前記感光体の外周面へ発光する複数の発光素子が前記感光体の軸方向に沿って配列されて構成される発光体と、
前記感光体の軸の両端部に設けられた部材に形成された前記感光体と同心円の円弧面上又は前記感光体の軸方向両端部の外周面上に配置され、前記発光体の両端部をそれぞれ支持し、前記発光素子を前記感光体の外周面の法線方向へ向かせる支持部材と、
を備えたことを特徴とする画像形成装置。
【請求項２】
前記支持部材は、前記感光体の外周面の法線方向に沿って形成された孔を有し、前記発光体から前記感光体へ突出した突出部を前記孔で案内して前記発光素子を前記感光体の外周面の法線方向へ向かせることを特徴とする請求項１に記載の画像形成装置。
【請求項３】
前記孔は、前記感光体の軸方向へ長くされた長孔に形成され、前記突出部が前記孔に沿って前記感光体の軸方向へ移動可能とされたことを特徴とする請求項２に記載の画像形成装置。
【請求項４】
前記支持部材を前記感光体の外周面に沿って前記感光体の周方向へ移動させて、前記発光体の端部を移動させる移動部材を備えたことを特徴とする請求項１〜３のいずれか１項に記載の画像形成装置。
【発明の詳細な説明】
【技術分野】
【０００１】
本発明は、画像形成装置に関する。
【背景技術】
【０００２】
特許文献１に開示される画像形成装置では、発光体としてのＬＥＤプリントヘッドの両端部に、感光体ドラムへ突出する棒が設けられている。ＬＥＤプリントヘッドがコイルバネによって感光体ドラムに向けて押されることにより、棒の先端は感光体ドラムの表面に常に当たる。
【０００３】
そして、棒が感光体ドラムに当たる位置をネジにより調整して走査線の位置ずれを補正する。
【特許文献１】特開２００１−１３００４７号公報
【発明の開示】
【発明が解決しようとする課題】
【０００４】
本発明は、感光体に対する発光体の位置ずれが生じた場合であっても、発光素子の配列方向にわたって、発光体と感光体との距離の変動を抑えることができる画像形成装置を提供することを目的とする。
【課題を解決するための手段】
【０００５】
本発明の請求項１に係る画像形成装置は、円筒状の感光体と、前記感光体の外周面へ発光する複数の発光素子が前記感光体の軸方向に沿って配列されて構成される発光体と、前記感光体の軸の両端部に設けられた部材に形成された前記感光体と同心円の円弧面上又は前記感光体の軸方向両端部の外周面上に配置され、前記発光体の両端部をそれぞれ支持し、前記発光素子を前記感光体の外周面の法線方向へ向かせる支持部材と、を備えたことを特徴とする。
【０００６】
本発明の請求項２に係る画像形成装置は、請求項１の構成において、前記支持部材は、前記感光体の外周面の法線方向に沿って形成された孔を有し、前記発光体から前記感光体へ突出した突出部を前記孔で案内して前記発光素子を前記感光体の外周面の法線方向へ向かせることを特徴とする。
【０００７】
本発明の請求項３に係る画像形成装置は、請求項２の構成において、前記孔は、前記感光体の軸方向へ長くされた長孔に形成され、前記突出部が前記孔に沿って前記感光体の軸方向へ移動可能とされたことを特徴とする。
【０００８】
本発明の請求項４に係る画像形成装置は、請求項１〜３のいずれか１項の構成において、前記支持部材を前記感光体の外周面に沿って前記感光体の周方向へ移動させて、前記発光体の端部を移動させる移動部材を備えたことを特徴とする。
【発明の効果】
【０００９】
本発明の請求項１の構成によれば、本構成を有していない場合に比して、感光体に対する発光体の位置ずれが生じた場合であっても、発光素子の配列方向にわたって、発光体と感光体との距離の変動を抑えることができる。
【００１０】
本発明の請求項２の構成によれば、本構成を有していない場合に比して、感光体に対する発光体の位置ずれが生じた場合であっても、発光素子の配列方向にわたって、発光体と感光体との距離の変動を抑えることができる。
【００１１】
本発明の請求項３の構成によれば、本構成を有していない場合に比して、感光体に対する発光体の位置ずれが生じた場合であっても、長孔とされた孔が遊びとなって、発光体のがたつきを抑えることができる。
【００１２】
本発明の請求項４の構成によれば、本構成を有していない場合に比して、発光素子の配列方向にわたって、発光体と感光体との距離の変動を抑えつつ、発光素子が感光体へ発光する発光位置を調整できる。
【発明を実施するための最良の形態】
【００１３】
以下に、本発明の画像形成装置に係る実施形態の一例を図面に基づき説明する。
【００１４】
（本実施形態に係る画像形成装置の全体構成）
まず、本実施形態に係る画像形成装置１０の全体構成について説明する。図１には、画像形成装置１０の全体構成が示されている。
【００１５】
本実施形態に係る画像形成装置１０は、図１に示すように、各構成部品が収容される装置本体１２を備え、装置本体１２の下部には、記録媒体の一例としての用紙Ｐが収容される用紙収容部１４が配置されている。
【００１６】
この用紙収容部１４の上部には、用紙Ｐの上面に接触して回転し、用紙収容部１４から用紙Ｐを送り出す送出しロール１６が配置されている。
【００１７】
また、装置本体１２には、用紙収容部１４から上方へ向かって縦に延びる第１搬送路２２が形成されている。
【００１８】
この第１搬送路２２に沿って、用紙搬送方向の上流側から順に、用紙Ｐを挟持搬送する複数の搬送ロール対２４、画像が形成される用紙Ｐを静電吸着して搬送する無端状の搬送ベルト２６が配置されている。
【００１９】
搬送ベルト２６は、上方に配置された巻掛けローラ２７と、下方に配置された巻掛けローラ２９に巻き掛けられており、巻掛けローラ２７及び巻掛けローラ２９のいずれかが、所定方向へ回転駆動することにより、搬送ベルト２６が所定方向へ循環駆動する。図１においては、搬送ベルト２６は、時計回り方向へ循環駆動する。
【００２０】
この搬送ベルト２６の用紙搬送方向上流側には、搬送ベルト２６の表面上を帯電させると共に、搬送ベルト２６へ静電吸着される用紙Ｐを搬送ベルト２６へ押し当てる帯電ロール３１が搬送ベルト２６に隣接して設けられている。
【００２１】
また、第１搬送路２２を間に挟んで、搬送ベルト２６に対向する横方向には、イエロー、マゼンタ、シアン、ブラックの各色に対応した複数のプロセスカートリッジ２８Ｙ、２８Ｍ、２８Ｃ、２８Ｋが、第１搬送路２２に沿って、装置本体１２に縦列配置されている。
【００２２】
各プロセスカートリッジ２８Ｙ、２８Ｍ、２８Ｃ、２８Ｋには、円筒状の感光体の一例としての感光体ドラム３０が設けられている。感光体ドラム３０は、それぞれ、所定方向、図１において反時計回り方向へ回転する構成となっている。
【００２３】
感光体ドラム３０の周囲には、感光体ドラム３０の回転方向上流側から順に、帯電ローラ３２と、感光体ドラム３０の外周面へ発光する複数の発光素子が感光体ドラム３０の軸方向に沿って配列されて構成される発光体の一例としてのＬＥＤプリントヘッド３４と、現像ローラ３６と、が設けられている。
【００２４】
帯電ローラ３２は、感光体ドラム３０の表面を帯電させ、ＬＥＤプリントヘッド３４は、帯電ローラ３２が帯電させた感光体ドラム３０の表面を露光して感光体ドラム３０の表面に静電潜像を形成する構成となっている。また、現像ローラ３６は、ＬＥＤプリントヘッド３４により感光体ドラム３０の表面に形成された静電潜像へトナーを付着させて現像するようになっている。
【００２５】
なお、各プロセスカートリッジ２８Ｙ、２８Ｍ、２８Ｃ、２８Ｋが、装置本体１２に縦列配置されることにより、各プロセスカートリッジ２８Ｙ、２８Ｍ、２８Ｃ、２８Ｋに設けられた各部品、すなわち、感光体ドラム３０、帯電ローラ３２、ＬＥＤプリントヘッド３４及び現像ローラ３６も縦列配置されている。
【００２６】
また、装置本体１２には、図１及び図２に示すように、感光体ドラム３０及びＬＥＤプリントヘッド３４を保持する保持部材の一例としての保持フレーム３５が設けられている。保持フレーム３５は、プロセスカートリッジ２８Ｙ、２８Ｍ、２８Ｃ、２８Ｋの周囲を囲んでおり、プロセスカートリッジ２８Ｙ、２８Ｍ、２８Ｃ、２８Ｋを一体的に保持している。これにより、各プロセスカートリッジ２８Ｙ、２８Ｍ、２８Ｃ、２８Ｋに設けられた感光体ドラム３０及びＬＥＤプリントヘッド３４は、保持フレーム３５により一体的に保持される。
【００２７】
感光体ドラム３０に対向する横方向には、搬送ベルト２６の内周側に、それぞれ、感光体ドラム３０の表面に形成されたトナー画像を用紙Ｐへ所定の転写位置で転写する転写装置３８が設けられている。
【００２８】
搬送ベルト２６より用紙搬送方向下流側には、転写されたトナー画像を用紙Ｐへ定着させる定着装置４０、用紙Ｐを挟持搬送する搬送ロール対４２、用紙Ｐを排出トレイ２０へ排出する排出ロール対４４が、この順で配置されている。
【００２９】
また、片面に画像が形成された用紙Ｐを反転させて、再び第１搬送路２２へ送り戻すための第２搬送路４６が、搬送ベルト２６を挟んで第１搬送路２２に対向して形成されている。
【００３０】
この第２搬送路４６には、用紙Ｐを下方へ挟持搬送する複数の搬送ロール対４８が配置されており、両面に画像を形成する際には、片面に画像が形成された用紙Ｐは、排出ロール対４４によりスイッチバックされて第２搬送路４６に導かれ、複数の搬送ロール対４８によって下方へ搬送され、第１搬送路２２へ送り戻される。
【００３１】
次に、本実施形態に係る画像形成装置における、画像を形成する画像形成動作について説明する。
【００３２】
本実施形態に係る画像形成装置において、用紙Ｐへ画像を形成する場合は、まず用紙収容部１４から取り出された用紙Ｐが、複数の搬送ロール対２４によって第１搬送路２２を上方へ搬送され、搬送ベルト２６へ送り込まれる。搬送ベルト２６へ送り込まれた用紙Ｐは、帯電ロール３１によって搬送ベルト２６へ押し当てられると共に、帯電する搬送ベルト２６に静電吸着されて、上方へ搬送され、イエロー、マゼンタ、シアン、ブラックの各色に対応した所定の転写位置へ順次送り込まれる。
【００３３】
所定の転写位置へ送り込まれた用紙Ｐは、感光体ドラム３０上に形成された各色のトナー画像が転写装置３８によって転写され、フルカラー画像が形成される。さらに定着装置４０へ搬送され、転写されたトナー画像が定着装置４０により定着される。用紙Ｐの片面へのみ画像を形成する場合は、トナー画像が定着された後、用紙Ｐは排出ロール対４４により排出トレイ２０へ排出される。
【００３４】
用紙Ｐの両面へ画像を形成する場合には、片面に画像が形成された後、用紙Ｐは、排出ロール対４４でスイッチバックされ、反転して第２搬送路４６へ送り込まれる。さらに、第２搬送路４６から再び第１搬送路２２へ送り込まれ、反対面側に上記と同様に画像が形成され、用紙Ｐの両面へ画像が形成される。以上のように、一連の画像形成動作が行われる。
【００３５】
（本実施形態に係る感光体ドラム及びＬＥＤプリントヘッドとその周辺の構成）
次に、本実施形態に係る感光体ドラム３０及びＬＥＤプリントヘッド３４とその周辺の構成について説明する。
【００３６】
本実施形態に係る画像形成装置１０は、図２及び図３に示すように、感光体ドラム３０を回転可能に支持する側板５２を備えている。この側板５２は、保持フレーム３５の一部を構成し、感光体ドラム３０に軸方向両端に配置されている。
【００３７】
側板５２には、図３に示すように、感光体ドラム３０に設けられた回転軸３０Ａを回転可能に支持する切欠部５４が形成されている。この切欠部５４に回転軸３０Ａが差し込まれて、側板５２に設けられた板ばね５６が感光体ドラム３０の回転軸３０Ａを切欠部５４の奥側へ押すことで感光体ドラム３０が保持される。
【００３８】
一方、ＬＥＤプリントヘッド３４は、図３及び図４に示すように、感光体ドラム３０の外周面へ発光する複数の発光素子の一例としてのＬＥＤが、感光体ドラム３０の軸方向に沿って配列されて構成される発光素子アレイ５８と、発光素子アレイ５８の光像を結像する結像素子アレイ６０とを備えている。結像素子としては、例えば、セルフォックレンズが用いられる。
【００３９】
結像素子アレイ６０が発光素子アレイ５８の光像を結像することにより、主走査方向である感光体ドラム３０の回転軸方向に沿って形成される走査線が、感光体ドラム３０に向けて照射される。
【００４０】
また、発光素子アレイ５８の長手方向両端部には、図２及び図４に示すように、ＬＥＤプリントヘッド３４から感光体ドラム３０へ突出する突出部の一例としてのピン６２が設けられている。ピン６２は、所定長さ突出しており、感光体ドラム３０に当たって、感光体ドラム３０とＬＥＤプリントヘッド３４との距離を規定する規定部材として機能する。
【００４１】
また、発光素子アレイ５８と感光体ドラム３０の間には、図２、図４、図５及び図６に示すように、ＬＥＤプリントヘッド３４の長手方向両端部を支持し、ＬＥＤを感光体ドラム３０の外周面の法線方向へ向かせる支持部材６６が配置されている。
【００４２】
支持部材６６は、感光体ドラム３０の外周面に沿って形成された円弧状の円弧面６６Ａと、この円弧面６６Ａの法線方向に沿って形成された案内孔６４とを有している。
【００４３】
支持部材６６は、感光体ドラム３０の外周面上に配置され、円弧面６６Ａが感光体ドラム３０の外周面に当たり、感光体ドラム３０の外周面に沿って移動可能とされている。
【００４４】
案内孔６４は、ピン６２が支持部材６６を貫通する貫通孔となっている。支持部材６６の円弧面６６Ａが感光体ドラム３０の外周面上に配置されることにより、支持部材６６の案内孔６４が、感光体ドラム３０の外周面の法線方向を向き、案内孔６４に通されたピン６２が、感光体ドラム３０の外周面の法線方向を向くようになっている。このように、ピン６２を感光体ドラム３０の外周面の法線方向へ案内することにより、ＬＥＤが感光体ドラム３０の外周面の法線方向に向くように、ＬＥＤプリントヘッド３４の向きを規定する構成となっている。
【００４５】
なお、案内孔６４は、ピン６２を感光体ドラム３０の外周面の法線方向へ案内するものであれば良く、孔に限られず、例えば、溝で構成されていても良い。
【００４６】
また、ＬＥＤプリントヘッド３４の長手方向一端部を支持する支持部材６６に形成された案内孔６４は、図７（Ａ）に示すように、円孔とされている。
【００４７】
一方、ＬＥＤプリントヘッド３４の長手方向他端部を支持する支持部材６６に形成された案内孔６４は、図７（Ｂ）に示すように、感光体ドラム３０の軸方向に長くされた長孔に形成され、ピン６２が感光体ドラム３０の軸方向に移動可能とされている。なお、ピン６２は、案内孔６４により感光体ドラム３０の周方向への移動が規制されている。
【００４８】
また、側板５２には、図４及び図６に示すように、３つの板ばね７０、７２、７４が一体に形成された板ばね部材７６が、ピン等の取り付け部材７５により取り付けられている。
【００４９】
板ばね７０は、図２及び図３に示すように、ＬＥＤプリントヘッド３４の側部に当たり、ＬＥＤプリントヘッド３４を感光体ドラム３０へ押すように構成されている。これにより、ＬＥＤプリントヘッド３４に設けられたピン６２が、感光体ドラム３０に常時に当たり、感光体ドラム３０の両端部とＬＥＤプリントヘッド３４との距離が所定距離に維持される。
【００５０】
また、板ばね７２は、支持部材６６を側板５２へ押し付けるようになっており、支持部材６６の感光体ドラム３０の軸方向に沿った移動が規制されている。
【００５１】
また、板ばね７４は、側板５２から感光体ドラム３０の軸方向に沿って突出する支持部７８へ支持部材６６を押し付けるようになっており、支持部材６６の感光体ドラム３０の周方向に沿った移動が規制されている。すなわち、板ばね７４は、支持部材６６を感光体ドラム３０の周方向へ押す押し部材として機能し、支持部７８は、支持部材６６を間において板ばね７４に対向して配置され、板ばね７４に押される支持部材６６を支える支え部材として機能する。なお、支持部７８は、ＬＥＤより下方に配置されている。
【００５２】
また、支持部材６６と発光素子アレイ５８との間には、ピン６２が挿し通される環状の圧縮ばね６８が設けられている。
【００５３】
この圧縮ばね６８は支持部材６６を感光体ドラム３０へ押しており、支持部材６６の円弧面６６Ａが感光体ドラム３０の外周面に押し付けられている。これにより、支持部材６６の円弧面６６Ａが感光体ドラム３０の外周面上に当たっている状態が維持される。
【００５４】
（本実施形態の作用）
次に、上記の実施形態について作用を説明する。
【００５５】
本実施形態の構成によれば、ＬＥＤプリントヘッド３４の長手方向両端部に設けられたピン６２が、感光体ドラム３０の外周面に当たって、ＬＥＤプリントヘッド３４の長手方向両端部のそれぞれと、感光体ドラム３０との距離が規定される。
【００５６】
また、ＬＥＤプリントヘッド３４の長手方向両端部に設けられたピン６２が貫通する支持部材６６によって、ＬＥＤが感光体ドラム３０の外周面の法線方向へ向いており、ＬＥＤは、感光体ドラム３０の外周面の法線方向へ発光する。
【００５７】
ここで、感光体ドラム３０を装置本体１２に取り付ける際に、ＬＥＤプリントヘッド３４に対する感光体ドラム３０の位置ずれが生じ、感光体ドラム３０の軸方向に対してＬＥＤプリントヘッド３４が傾いた場合でも、図８に示すように、ＬＥＤプリントヘッド３４の長手方向両端部において、ＬＥＤが感光体ドラム３０の外周面の法線方向へ向くように、ＬＥＤプリントヘッド３４の向きを規定されているため、ピン６２のないＬＥＤプリントヘッド３４の長手方向中央部においても、ＬＥＤが感光体ドラム３０の外周面の法線方向へ向く。これにより、ピン６２のないＬＥＤプリントヘッド３４の長手方向中央部においても、感光体ドラム３０との距離が、ＬＥＤプリントヘッド３４の長手方向両端部における感光体ドラム３０との距離と同じ若しくはほとんど差がない。
【００５８】
なお、図８において、実線部分がＬＥＤプリントヘッド３４の長手方向一端部を示し、点線部分がＬＥＤプリントヘッド３４の長手方向他端部を示し、二点鎖線部分がＬＥＤプリントヘッド３４の長手方向中央部を示す。
【００５９】
ＬＥＤが感光体ドラム３０の外周面の法線方向へ向かない構成では、図９に示すように、ピン６２のないＬＥＤプリントヘッド３４の長手方向中央部において、感光体ドラム３０との距離が、ＬＥＤプリントヘッド３４の長手方向両端部における感光体ドラム３０との距離（Ａ参照）と変動してしまう。なお、図９において、実線部分がＬＥＤプリントヘッド３４の長手方向一端部を示し、点線部分がＬＥＤプリントヘッド３４の長手方向他端部を示し、二点鎖線部分がＬＥＤプリントヘッド３４の長手方向中央部を示す。
【００６０】
（本実施形態に係る画像形成装置の変形例）
次に、変形例に係る画像形成装置の構成を説明する。
【００６１】
変形例に係る画像形成装置１１は、支持部材６６を感光体ドラム３０の外周面に沿って感光体ドラム３０の周方向へ移動させてＬＥＤプリントヘッド３４の端部を移動させる移動部材の一例としての調整ネジ８０を、支持部７８に替えて備えている。
【００６２】
側板５２の一方には、調整ネジ８０がねじ込まれるねじ込み部材８２が設けられている。ねじ込み部材８２には、ねじ孔が形成されている。調整ネジ８０は、ねじ込み部材８２のねじ孔にねじ込まれ、一方へ回転することにより支持部材６６へ進出し、他方へ回転することにより、進出する方向と反対方向へ後退する構成となっている。
【００６３】
調整ネジ８０を進出させることにより、調整ネジ８０が板ばね７４の押し力に対抗して支持部材６６を押して、支持部材６６を感光体ドラム３０の周方向の一方へ移動させ、ＬＥＤプリントヘッド３４の一端部を移動させる。
【００６４】
調整ネジ８０を後退させることにより、板ばね７４が支持部材６６を押して、支持部材６６を感光体ドラム３０の周方向の他方へ移動させ、ＬＥＤプリントヘッド３４の一端部を移動させる。
【００６５】
この構成によれば、調整ネジ８０を進出又は後退させることにより、支持部材６６を感光体ドラム３０の周方向の一方へ移動させ、ＬＥＤプリントヘッド３４の一端部を移動させて、感光体ドラム３０の軸方向に対する走査線の傾き、いわゆるスキューが補正される。
【００６６】
このように、感光体ドラム３０の軸方向に対する走査線の傾きを補正することにより、感光体ドラム３０の軸方向に対してＬＥＤプリントヘッド３４が傾いた場合でも、図８に示すように、ＬＥＤプリントヘッド３４の長手方向両端部において、ＬＥＤが感光体ドラム３０の外周面の法線方向へ向くように、ＬＥＤプリントヘッド３４の向きを規定されているため、ピン６２のないＬＥＤプリントヘッド３４の長手方向中央部においても、ＬＥＤが感光体ドラム３０の外周面の法線方向へ向く。これにより、ピン６２のないＬＥＤプリントヘッド３４の長手方向中央部においても、感光体ドラム３０との距離が、ＬＥＤプリントヘッド３４の長手方向両端部における感光体ドラム３０との距離と同じ若しくはほとんど差がない。
【００６７】
なお、調整ネジ８０は、図１２に示すように、ＬＥＤプリントヘッド３４の両端部に設け、ＬＥＤプリントヘッド３４の両端部をそれぞれ、感光体ドラム３０の周方向へ移動させる構成であってよい。
【００６８】
また、上記実施形態は、ピン６２及び支持部材６６が感光体ドラム３０の外周面に配置される構成となっていたが、感光体ドラム３０の軸方向両端部に設けられた部材に形成された感光体ドラム３０と同心円の円弧面上にピン６２及び支持部材６６を配置する構成としてもよい。
【００６９】
感光体ドラム３０の軸方向両端部に設けられた部材としては、例えば、感光体ドラム３０の軸方向両端部を回転可能に支持する軸受８４としてもよく、図１３及び図１４に示すように、軸受８４の外周面にピン６２及び支持部材６６を配置する構成とすることができる。
【００７０】
本発明は、上記の実施形態に限るものではなく、種々の変形、変更、改良が可能である。
【図面の簡単な説明】
【００７１】
【図１】図１は、本発明の実施形態に係る画像形成装置の全体構成を示す概略図である。
【図２】図２は、本実施形態に係る感光体ドラム及びＬＥＤプリントヘッドとその周辺の構成を感光体ドラムの軸方向に沿って見た図である。
【図３】図３は、本実施形態に係る感光体ドラム及びＬＥＤプリントヘッドとその周辺の構成を示す斜視図である。
【図４】図４は、本実施形態に係る感光体ドラム及びＬＥＤプリントヘッドとその周辺の構成を示す分解斜視図である。
【図５】図５は、本実施形態に係る感光体ドラム及びＬＥＤプリントヘッドとその周辺の構成において、側板を外した状態を示す斜視図である。
【図６】図６は、本実施形態に係る感光体ドラム及びＬＥＤプリントヘッドとその周辺の構成を側板の内側から見た斜視図である。
【図７】図７は、本実施形態に係る感光体ドラム及びＬＥＤプリントヘッドとその周辺の構成を感光体ドラムの半径方向から見た図であり、（Ａ）は、ＬＥＤプリントヘッド３４の長手方向一端部側の構成を示し、（Ｂ）は、ＬＥＤプリントヘッド３４の長手方向他端部側の構成を示す。
【図８】図８は、本実施形態に係るＬＥＤプリントヘッドの感光体ドラムに対する向きを説明するための図である。
【図９】図９は、本実施形態に係る画像形成装置の構成を有さない構成の場合おけるＬＥＤプリントヘッドの感光体ドラムに対する向きを説明するための図である。
【図１０】図１０は、本実施形態に係る画像形成装置の変形例において、感光体ドラムの半径方向から見た図であり、（Ａ）は、ＬＥＤプリントヘッド３４の長手方向一端部側の構成を示し、（Ｂ）は、ＬＥＤプリントヘッド３４の長手方向他端部側の構成を示す。
【図１１】図１１は、本実施形態に係る画像形成装置の変形例を示す斜視図である。
【図１２】図１２は、本実施形態に係る本実施形態に係る画像形成装置の変形例において、調整ネジがＬＥＤプリントヘッドの長手方向両端部にある構成を感光体ドラムの半径方向から見た図であり、（Ａ）は、ＬＥＤプリントヘッド３４の長手方向一端部側の構成を示し、（Ｂ）は、ＬＥＤプリントヘッド３４の長手方向他端部側の構成を示す。
【図１３】図１３は、本実施形態に係るピン及び支持部材を軸受の外周面に当てた構成を示す斜視図である。
【図１４】図１４は、本実施形態に係るピン及び支持部材を軸受の外周面に当てた構成において、側板を外した状態を示す斜視図である。
【符号の説明】
【００７２】
１０   画像形成装置
１１   画像形成装置
３０   感光体ドラム（感光体）
３４   ＬＥＤプリントヘッド（発光体）
３５   保持フレーム（保持部材）
６２   ピン（突出部）
６４   案内孔（孔）
６６   支持部材
８０   調整ネジ（移動部材）
【図１】
2008183858.tif 000003
【図２】
2008183858.tif 000004
【図３】
2008183858.tif 000005
【図４】
2008183858.tif 000006
【図５】
2008183858.tif 000007
【図６】
2008183858.tif 000008
【図７】
2008183858.tif 000009
【図８】
2008183858.tif 000010
【図９】
2008183858.tif 000011
【図１０】
2008183858.tif 000012
【図１１】
2008183858.tif 000013
【図１２】
2008183858.tif 000014
【図１３】
2008183858.tif 000015
【図１４】
2008183858.tif 000016